(57)【要約】【課題】内視鏡との電気的接続をより確実に行うことができる内視鏡用アダプタを提供する。【解決手段】電子部品と、電子部品と内視鏡の挿入部１０１とを電気的に接続する電気的接続部４０とを有し、挿入部に着脱可能な内視鏡用アダプタ１において、電気的接続部は、絶縁性の筒部４１と、挿入部に接続される第１接点４５と、第一の端部で第１接点を挿入部側に付勢する第１弾性部材と、第１弾性部材の第二の端部を支持する第１壁部とを有して筒部に挿入され、筒部の内壁に固着される第１接点部４２と、電子部品に接続される第２接点５０と、第一の端部で第２接点を電子部品側に付勢する第２弾性部材と、第２弾性部材の第二の端部を支持する第２壁部とを有して筒部内に収容された第２接点部４３とを備え、内視鏡用アダプタを挿入部に装着すると、第１接点部及び第２接点部を介して電子部品と挿入部とが電気的に接続される。【選択図】図４
2011170094.tif 000002
【特許請求の範囲】
【請求項１】
電子部品と、前記電子部品と内視鏡の挿入部とを電気的に接続する電気的接続部とを有し、前記挿入部に着脱可能な内視鏡用アダプタであって、
前記電気的接続部は、
絶縁性の筒部と、
前記挿入部に接続される第１接点と、第一の端部で前記第１接点を前記挿入部側に付勢する第１弾性部材と、前記第１弾性部材の第二の端部を支持する第１壁部とを有して前記筒部に挿入され、前記筒部の内壁に固着される第１接点部と、
前記電子部品に接続される第２接点と、第一の端部で前記第２接点を前記電子部品側に付勢する第２弾性部材と、前記第２弾性部材の第二の端部を支持する第２壁部とを有して前記筒部に挿入された第２接点部と、
を備え、
前記挿入部に装着すると、前記第１接点部及び前記第２接点部を介して前記電子部品と前記挿入部とが電気的に接続されることを特徴とする内視鏡用アダプタ。
【請求項２】
前記第１接点部は、前記第１弾性部材と、前記第１接点の一部とを内部に収容する本体を有し、
前記第１壁部は、前記本体の内部と外部とが連通しないように遮断しており、前記第１接点部は、周方向全体にわたって前記筒部の内壁に固着されていることを特徴とする請求項１に記載の内視鏡用アダプタ。
【請求項３】
前記電気的接続部は、前記第２弾性部材が圧縮された状態で前記第２接点と前記電子部品とが接続されるように配置されていることを特徴とする請求項１又は２に記載の内視鏡用アダプタ。
【請求項４】
前記筒部内において隣接する前記第１接点部の端部及び前記第２接点部の端部の少なくとも一方は、他方に接近するにつれて縮径するテーパー状に形成されていることを特徴とする請求項１から３のいずれか１項に記載の内視鏡用アダプタ。
【請求項５】
前記本体は、一方の端部がテーパー状に縮径されて先端に開口を有し、
前記第１接点は、
前記本体内に収容される基端部と、
前記開口から突出して前記挿入部に接続される先端部と、
前記先端部と前記基端部との間に、前記本体の一方の端部と同一のテーパー角を有するテーパー部と、を有することを特徴とする請求項２から４のいずれか１項に記載の内視鏡用アダプタ。
【請求項６】
先端に観察光学系を有する挿入部と、前記挿入部に設けられ、内視鏡アダプタと電気的に接続される電気的接続部と、前記内視鏡アダプタに電力を供給する本体部とを備えた内視鏡であって、
前記電気的接続部は、
絶縁性の筒部と、
前記内視鏡用アダプタに接続される第１接点と、第一の端部で前記第１接点を前記内視鏡用アダプタ側に付勢する第１弾性部材と、前記第１弾性部材の第二の端部を支持する第１壁部とを有して前記筒部に挿入され、前記筒部の内壁に固着される第１接点部と、
前記本体部と電気的に接続される第２接点と、第一の端部で前記第２接点を前記本体部側に付勢する第２弾性部材と、前記第２弾性部材の第二の端部を支持する第２壁部とを有して前記筒部に挿入された第２接点部と、
を備えることを特徴とする内視鏡。
【発明の詳細な説明】
【技術分野】
【０００１】
本発明は、内視鏡用アダプタ、より詳しくは、電気的接続部を有する内視鏡用アダプタ、及び同電気的接続部を有する内視鏡に関する。
【背景技術】
【０００２】
従来、被検物の内部を検査するために、長尺の挿入部を有する内視鏡が使用されている。当該挿入部の先端には観察光学系が設けられているが、必要に応じて、対象となる被検物により適した視野を得るために、挿入部の先端にアダプタが装着されることがある。
このような内視鏡用アダプタの中には、ＬＥＤ等を含んで構成され、内視鏡の視野を照明する照明手段を備えるものがある。照明手段を備える内視鏡用アダプタは、内視鏡の本体等から当該照明手段の電力を供給するため、内視鏡の所定部位と電気的に接続される電気接点を備えるものが多い。
【０００３】
特許文献１には、上述の電気接点としてピン状の電気的接続部材を備える内視鏡用アダプタが記載されている。
この電気的接続部材は、筒状のケース体の両端に配置された一対のピン部材の間にコイルバネが配置されて構成されている。各接点部材は、コイルバネを圧縮することで電気的接続部材の長手方向に摺動可能であり、コイルバネの付勢力によって、ＬＥＤの回路基板等の電気的に接続されるべき対象物に対して当接状態を保持する。これにより、内視鏡用アダプタと内視鏡との電気的接続が保たれる。
【先行技術文献】
【特許文献】
【０００４】
【特許文献１】特開２００８−３６０３３号公報
【発明の概要】
【発明が解決しようとする課題】
【０００５】
しかしながら、特許文献１に記載された電気的接続部材は、両端のピン部材が対象物から押圧される力量を共通のコイルバネで受けるため、個々のピン部材に作用する押圧力量が異なっていても、コイルバネによって平均化され、両端のピン部材に作用する付勢力は略同一となる。
【０００６】
したがって、相対的に小さい押圧力量を受けていたピン部材は、当該押圧力量を上回る付勢力で対象物に当接される。その結果、当該ピン部材は、必要以上に大きい力量で対象物に当接されるため、例えば対象物がフレキシブル基板等の剛性の低い構造物の場合、当該対象物を破壊したり変形させたりすることによって接触不良を起こす恐れがある。
一方、これとは逆の事態も発生しうる。すなわち、押圧力量が平均化されることにより、相対的に大きい押圧力量を受けていたピン部材は、当該押圧力量を下回る付勢力で対象物に当接される。その結果、付勢力が不足して接触不良を起こすことがある。
上述した事態は、いずれも内視鏡用アダプタと内視鏡との電気的接続を不確実にする点で問題であり、より電気的接続を確実にすることができる構造が求められている。
【０００７】
本発明は上記事情に鑑みて成されたものであり、装着された時に内視鏡との電気的接続をより確実に行うことができる内視鏡用アダプタを提供することを目的とする。
本発明の他の目的は、内視鏡用アダプタとの電気的接続をより確実に行うことができる内視鏡を提供することである。
【課題を解決するための手段】
【０００８】
本発明の第１の態様は、電子部品と、前記電子部品と内視鏡の挿入部とを電気的に接続する電気的接続部とを有し、前記挿入部に着脱可能な内視鏡用アダプタであって、前記電気的接続部は、絶縁性の筒部と、前記挿入部に接続される第１接点と、第一の端部で前記第１接点を前記挿入部側に付勢する第１弾性部材と、前記第１弾性部材の第二の端部を支持する第１壁部とを有して前記筒部に挿入され、前記筒部の内壁に固着される第１接点部と、前記電子部品に接続される第２接点と、第一の端部で前記第２接点を前記電子部品側に付勢する第２弾性部材と、前記第２弾性部材の第二の端部を支持する第２壁部とを有して前記筒部に挿入された第２接点部とを備え、前記挿入部に装着すると、前記第１接点部及び前記第２接点部を介して前記電子部品と前記挿入部とが電気的に接続されることを特徴とする。
【０００９】
前記第１接点部は、前記第１弾性部材と、前記第１接点の一部とを内部に収容する本体を有し、前記第１壁部は、前記本体の内部と外部とが連通しないように遮断しており、前記第１接点部は、周方向全体にわたって前記筒部の内壁に固着されてもよい。
【００１０】
前記電気的接続部は、前記第２弾性部材が圧縮された状態で前記第２接点と前記電子部品とが接続されるように配置されてもよい。
【００１１】
前記筒部内において隣接する前記第１接点部の端部及び前記第２接点部の端部の少なくとも一方は、他方に接近するにつれて縮径するテーパー状に形成されてもよい。
【００１２】
前記本体は、一方の端部がテーパー状に縮径されて先端に開口を有し、前記第１接点は、前記本体内に収容される基端部と、前記開口から突出して前記挿入部に接続される先端部と、前記先端部と前記基端部との間に、前記本体の一方の端部と同一のテーパー角を有するテーパー部とを有してもよい。
【００１３】
本発明の第２の態様は、先端に観察光学系を有する挿入部と、前記挿入部に設けられ、内視鏡アダプタと電気的に接続される電気的接続部と、前記内視鏡アダプタに電力を供給する本体部とを備えた内視鏡であって、前記電気的接続部は、絶縁性の筒部と、前記内視鏡用アダプタに接続される第１接点と、第一の端部で前記第１接点を前記内視鏡用アダプタ側に付勢する第１弾性部材と、前記第１弾性部材の第二の端部を支持する第１壁部とを有して前記筒部に挿入され、前記筒部の内壁に固着される第１接点部と、前記本体部と電気的に接続される第２接点と、第一の端部で前記第２接点を前記本体部側に付勢する第２弾性部材と、前記第２弾性部材の第二の端部を支持する第２壁部とを有して前記筒部内に収容された第２接点部とを備えることを特徴とする。
【発明の効果】
【００１４】
本発明の内視鏡用アダプタによれば、装着された時に内視鏡との電気的接続をより確実に行うことができる。
また、本発明の内視鏡によれば、内視鏡用アダプタとの電気的接続をより確実に行うことができる。
【図面の簡単な説明】
【００１５】
【図１】本発明の第１実施形態の内視鏡用アダプタ及び同内視鏡用アダプタが装着される内視鏡を示す図である。
【図２】同内視鏡用アダプタの断面図である。
【図３】同内視鏡用アダプタが同内視鏡に装着された状態を示す拡大断面図である。
【図４】（ａ）は、図２の部分拡大図であり、（ｂ）は、図３の部分拡大図である。
【図５】同内視鏡用アダプタの電気的接続部における第１接点部の内部を示す断面図である。
【図６】同電気的接続部の第２接点部の内部を示す断面図である。
【図７】同実施形態の変形例における電気的接続部の構造を示す断面図である。
【図８】本発明の第１実施形態の内視鏡用アダプタにおける電気的接続部の構造を示す断面図である。
【図９】（ａ）及び（ｂ）は、本発明の変形例における第１接点部の構造を示す断面図である。
【図１０】本発明の変形例における内視鏡及び内視鏡用アダプタを示す図である。
【発明を実施するための形態】
【００１６】
本発明の第１実施形態について、図１から図７を参照して説明する。図１は、本実施形態の内視鏡用アダプタ（以下、単に「アダプタ」と称する。）１及びアダプタ１が装着される内視鏡１００の構成を示す斜視図である。
【００１７】
内視鏡１００は、公知の構成を有し、先端に観察光学系を有する長尺の挿入部１０１と、挿入部１０１を操作するためのジョイスティック１０３を有する操作部１０２と、挿入部１０１で取得された被検物内部の画像を表示する表示部１０５や各種操作を行うための操作パネル１０６等を有し、挿入部１０１と接続された本体部１０４とを備えている。本体部１０４は、図示しないバッテリーやＡＣ電源と接続されており、アダプタ１への電力供給源となる。
【００１８】
図２は、アダプタ１の拡大断面図であり、図３は、アダプタ１が内視鏡１００の挿入部１０１に装着された状態を示す拡大断面図である。
アダプタ１は、いわゆる側視用アダプタであり、図２に示すように、挿入部１０１に着脱するためのカバー１０と、内視鏡１００の視野を調節するアダプタ光学系２０と、視野を照明する照明部３０と、アダプタ１と挿入部１０１とを電気的に接続する電気的接続部４０とを備えている。
【００１９】
カバー１０は、円筒状に形成され、内壁の一部にネジ部１１が形成されている。ネジ部１１は、アダプタ１の装着時に、図３に示すように挿入部１０１の外周面に設けられたネジ部１０７Ａ及び１０７Ｂと着脱可能に係合される。
【００２０】
アダプタ光学系２０は、レンズ系２１及び側視プリズム２２を備えている。レンズ系２１及び側視プリズム２２は、金属製の基体２３に取り付けられており、基体２３の端部２３Ａは、カバー１０の内部に進入している。基体２３が進入した側のカバー１０の端部１０Ａは、内径が縮小されており、基体２３はカバー１０から外れないように接続されている。基体２３の端部２３Ａには、装着時にアダプタ１内部への液体の浸入を抑制するＯリング２４が取り付けられている。
なお、以降の説明において、カバー１０が設けられた側をアダプタ１の「基端側」と称し、基端側と反対側を「先端側」と称する。
【００２１】
照明部３０は、内視鏡１００の視野を照明するＬＥＤユニット（電子部品）３１と、ＬＥＤユニット３１と電気的に接続された可撓性基板３２とを備えている。ＬＥＤユニット３１は、１つ以上の発光ダイオード（ＬＥＤ）を有し、アダプタ光学系２０よりも先端側に配置されている。
【００２２】
可撓性基板３２の先端側は、ハンダや導電性接着剤等によってＬＥＤユニット３１と電気的に接続固定されている。可撓性基板３２の基端側は、導電パターンを基端側に向けて固定されており、当該導電パターンの一部が電気的接続部４０と接触する給電点３２Ａとなっている。
可撓性基板３２は、ＬＥＤユニット３１への電力供給ルートとして機能するとともに、ＬＥＤユニット３１の発光態様を制御する制御基板としても機能する。
【００２３】
電気的接続部４０は、図２に示すように、基体２３に形成されて先端側から基端側に向かって延びる貫通孔２５に設けられている。
図４（ａ）及び図４（ｂ）は、それぞれ図２及び図３の部分拡大図であるが、電気的接続部４０の構造を見やすくするために、電気的接続部４０及び基体２３の一部を、電気的接続部４０の軸線を通る断面で示している。
図４（ａ）に示すように、電気的接続部４０は、絶縁性の筒部４１と、筒部４１内に配置された第１接点部４２及び第２接点部４３とを備えている。
【００２４】
筒部４１は円筒状に形成され、貫通孔２５に挿通されている。筒部４１は、周方向にわたって貫通孔２５の内壁と接着等により固着されている。筒部４１の材質は絶縁性であれば特に限定されず、アダプタ１や内視鏡１００の使用環境等に応じて、耐薬性、耐熱性等の各種特性を考慮して選択されればよい。筒部４１は、電気的接続部と基体２３等との短絡を防止する。
【００２５】
図５は、第１接点部４２の内部を示す断面図である。第１接点部４２は、略円筒状の本体４４と、本体４４の一方の端部に取り付けられた第１接点４５と、本体４４内の空間に収容されたコイルバネ（第１弾性部材）４６とを備えている。
【００２６】
本体４４は、金属等の導体で形成され、内部に空間Ｓ１を有して概ね円筒状に形成されている。本体４４の軸線方向における一方の端部４４Ａは、空間Ｓ１に連通する開口４７を有する。端部４４Ａは徐々に縮径するテーパー状に形成されており、開口４７の外径及び内径は、本体４４の中間部の外径及び内径よりも小さい。
端部４４Ａと反対側の端部４４Ｂは、端部４４Ａ同様テーパー状に形成されているが、開口は設けられていない。すなわち、空間Ｓ１は、端部４４Ａによって本体４４の外部と連通しないように遮断されており、本体４４の軸線方向に貫通しない形状となっている。
【００２７】
第１接点４５は、導体で形成されている。第１接点４５の基端部４５Ａは本体４４の内部に収容され、内視鏡１００の挿入部１０１と接続される先端部４５Ｂは、本体４４の外部に突出している。基端部４５の外径は、開口４７の内径よりも大きいため、第１接点４５が本体４４から脱落することはない。
【００２８】
コイルバネ４６は、自身が形成するループの軸線が本体４４の軸線と平行となるように、空間Ｓ１内に配置されている。コイルバネ４６の第一の端部４６Ａは、第１接点４５の基端部４５Ａと接触しており、第二の端部４６Ｂは、端部４４Ｂの空間Ｓ１側の壁面（第１壁部）４８に接触して支持されている。外力が作用しない自然状態におけるコイルバネ４６の軸線方向の寸法を空間Ｓ１の軸線方向の寸法よりも長く設定すると、コイルバネ４６は圧縮された状態で空間Ｓ１内に収容され、後述するように第１接点４５を付勢しやすくなるため好ましい。
【００２９】
図４（ａ）に示すように、第１接点部４２は、第１接点４５の先端部４５Ｂが筒部４１の外に位置してアダプタ１の基端側に露出するように、筒部４１内に挿入されている。そして、本体４４の外周面は、接着層５３により少なくとも一部が全周にわたって筒部４４の内壁と固着されている。すなわち、第１接点部４２と筒部４１との間は液体が通過できない構造となっており、水密性が確保されている。
【００３０】
図６は、第２接点部４３の内部を示す断面図である。第２接点部４３は、第１接点部４２と概ね同様の構造を有し、本体４９、第２接点５０、及びコイルバネ（第２弾性部材）５１を備えている。
【００３１】
本体４９は、開口４７の設けられていない端部４９Ｂが平坦に形成されている点と、軸線方向の寸法のみが本体４４と異なっている。第２接点５０は、基端部５０Ａを有し、先端部５０Ｂの形状が異なる点を除き、第１接点４５とほぼ同様の形状である。コイルバネ５１は、第１接点部４２のコイルバネ４６同様、本体４９の空間Ｓ２内に配置されており、第一の端部５１Ａは第２接点５０の基端部５０Ａに接触し、第二の端部５１Ｂは壁面（第２壁部）５２に接触して支持されている。
【００３２】
図４（ａ）に示すように、第２接点部４３は、第２接点５０の先端部５０Ｂが筒部４１の外に位置して照明部３０の可撓性基板３２に向かって突出するように、筒部４１内に挿入されている。本体４９の外周面は筒部４１の内壁と接着されておらず、第２接点部４３は、筒部４１の内腔を軸線方向に移動可能である。
【００３３】
コイルバネ４６及び５１のバネ定数は、第１接点４５及び第２接点５０が接触する構造物の剛性等にもとづいて適宜設定される。本実施形態においては、第２接点５０が剛性の低い可撓性基板３２と接触するため、コイルバネ５１として、コイルバネ４６よりもバネ定数の小さいものが選択されている。
【００３４】
上述のように構成された電気的接続部４０は、コイルバネ５１が軸線方向にわずかに圧縮された状態で、第２接点５０が可撓性基板３２の接点３２Ａに接触し、かつ第１接点部４２の端部４４Ｂと第２接点部４３の端部４９Ｂとが接触するように基体２３の貫通孔２５に取り付けられる。
【００３５】
上記のように構成されたアダプタ１の使用時の動作について説明する。
アダプタ１を内視鏡１００に装着する際、使用者は、挿入部１０１の先端をアダプタ１の基端側からカバー１０の内部に進入させる。
【００３６】
使用者がカバー１０を軸線回りの所定方向に回すと、まずカバー１０のネジ部１１と挿入部１０１のネジ部１０７Ａ（図３及び図４（ｂ）参照）とが係合する。ネジ部１０７Ａがネジ部１１を乗り越えて両者の係合が解除されたところで、使用者は挿入部１０１に設けられて本体部１０４の電力供給源と接続された接続部１０８と、アダプタ１の第１接点４５との位置を合わせて挿入部１０１の先端を基体２３に押し当てる。すると、及び図４（ｂ）に示すように、第１接点４５が接続部１０８内に進入するとともに、挿入部１０１に配置された観察光学系１０９とアダプタ光学系２０のレンズ系２１とが同一の光軸上に位置決めされる。
【００３７】
この状態で、使用者がカバー１０を回転させると、図３に示すように、ネジ部１１がネジ部１０７Ｂと係合する。使用者がカバー１０をさらに回転させて締め込むと、挿入部１０１はアダプタ１に向かって前進する。これにより、Ｏリング２４が押しつぶされて挿入部１０１と基体２３後端との間の空間が水密に保たれるとともに、接続部１０８が第１接点４５をコイルバネ４６の付勢力に抗してアダプタ１の先端側に移動させる。
【００３８】
使用者が適度な位置でカバー１０の締め込み動作をやめると、アダプタ１の装着が完了する。装着後は、本体部１０４から接続部１０８、第１接点部４２、及び第２接点部４３を介して給電点３２Ａに電力を供給することができ、照明部３０のＬＥＤユニット３１によって内視鏡１００の視野を好適に照明することができる。また、アダプタ光学系２０を通して取得された被検物内部の画像は、挿入部１０１に設けられた撮像ユニット１１０に好適に結像される。
【００３９】
本実施形態のアダプタ１が挿入部１０１に装着された状態において、電気的接続部４０は以下のような状態となっている。
第１接点部４２においては、上述のように第１接点４５が接続部１０８によってアダプタ１の先端側に押し戻されているため、第１接点４５は、コイルバネ４６の第一の端部４６Ａによって接続部１０８に向かって付勢されつつ接続部１０８と接触している。このため、第１接点４５と接続部１０８との距離の公差が良好に吸収されるとともに、両者の電気的接続が好適に確保される。
同様に、第２接点部４３においても、第２接点５０が、コイルバネ５１の第一の端部５１Ａによって照明部３０の可撓性基板３２に向かって付勢されつつ給電点３２Ａと接触して、公差が良好に吸収されるとともに、両者の電気的接続が好適に確保される。
【００４０】
コイルバネ４６の第二の端部４６Ｂは、壁面４８に支持されており、コイルバネ５１の第二の端部５１Ｂは、壁面５２に支持されているため、一方のコイルバネに作用する圧縮力は、他方には伝達されない。したがって、２本のコイルバネ４６、５１が第１接点４５及び第２接点５０を付勢する付勢力が平均化されることはなく、第１接点４５及び第２接点５０は、それぞれ異なる好適な力量で接続対象の構造物に接触する。その結果、構造物が可撓性基板３２のように剛性の低いものであっても、脆性破壊等を起こすリスクを大幅に低下させて、アダプタと内視鏡との電気的接続を確実に行うことができる。
【００４１】
また、第１接点部４２は、外周面の少なくとも一部が接着層５３により全周にわたって筒部４１の内壁と固着されており、かつ壁面４８が本体４４の内部と外部とを連通しないように遮断しているため、電気的接続部４０の第１接点部４２側において水密性が保持されている。
したがって、万一、アダプタ１の装着時にＯリング２４の内側に位置する挿入部１０１の先端部位に水滴や油滴等が付着していた場合であっても、これらの液体がアダプタ１の内部に浸入することはなく、防水性の高いアダプタを構成することができる。
【００４２】
さらに、第２接点部４３は筒部４１に接着されておらず、筒部４１内を摺動可能であるため、内視鏡１００が高温環境下で使用され、筒部４１が軸線方向に膨張したような場合でも、本体４９が筒部４１と相対移動することにより、第１接点部４２と第２接点部４３との電気的接続が保持される。したがって、電気的接続の信頼性をより向上させることができる。
【００４３】
さらに、第１接点部４２の本体４４の端部４４Ｂはテーパー状に形成されているため、筒部４１に接着するための接着剤等の量が多かった場合も、端部４４Ｂに沿って流れ、第２接点部４３の本体４９に付着しにくい。したがって、第２接点部４３が筒部４１に接着されてしまう不良品の発生を抑えて、製造効率を向上することができる。
【００４４】
加えて、電気的接続部４０は、基体２３に形成された貫通孔２５に挿通されて配置されているため、筒部４１の周囲が安定して支持され、変形等を起こしにくい。したがって、より信頼性の高い電気的接続を行うことができる。
【００４５】
本実施形態では、第１壁部としての壁面４８が本体４４の内部と外部とを連通させない形状である例を説明したが、コイルバネ４６、５１の第二の端部４６Ｂ、５１Ｂを確実に支持することができれば、第１壁部及び第２壁部の形状に特に制限はない。
したがって、図７に示すように、壁面４８及び５２が開口を有し、本体４４、４９の内部と外部を連通させるような形状とされてもよい。また、壁面４８、５２は、本体４４、４９の内壁から全周にわたって突出していなくてもよく、例えば、内壁の一部のみから突出して設けられてコイルバネの第二の端部を支持してもよい。
ただし、上述したように、壁部４８が、本体４４の内部と外部とを連通させない形状であれば、電気的接続部に水密構造が確保されるため、アダプタの防水性を高めたい等の場合は、少なくとも第１接点部４２の壁部４８を開口のない形状とするのが好ましい。
【００４６】
また、本実施形態では、第１接点部４２の端部４４Ｂがテーパー状に縮径されている例を説明したが、筒部内において隣接する端部４４Ｂ及第２接点部４３の端部４９Ｂの少なくとも一方がテーパー状に形成され、他方に接近するにつれて縮径されていれば、上述した第２接点部４３と筒部４１との接着を防止することができる。
したがって、本実施形態の形状に代えて、端部４９Ｂのみがテーパー状に縮径されていてもよいし、端部４４Ｂ及び４９Ｂの両方がテーパー状に縮径されていてもよい。ただし、両方の端部をテーパー状にすると、第１接点部と第２接点部とが接触しにくくなる恐れがあるので、端部の先端を尖らせないようにする等の注意が必要である。
【００４７】
次に、本発明の第２実施形態について、図８を参照して説明する。本実施形態のアダプタと上述の第１実施形態のアダプタ１との異なるところは、電気的接続部の構造である。なお、以降の説明において、すでに説明したものと同様の構成については、同一の符号を付して重複する説明を省略する。
【００４８】
図８は、本実施形態のアダプタにおける電気的接続部４０ａの構造を示す断面図である。第１接点部４２及び第２接点部４３は、本体４４、４９に代えて、共通の本体６１を有する。本体６１内部の空間を、コイルバネ４６が収容される空間Ｓ１とコイルバネ５１が収容される空間Ｓ２とに分割する隔壁６２の第１面６２Ａは、コイルバネ４６の第二の端部４６Ｂを支持する第１壁部として、第２面６２Ｂは、コイルバネ５１の第二の端部５１Ｂを支持する第２壁部としてそれぞれ機能する。
【００４９】
電気的接続部４０ａを備えた本実施形態のアダプタにおいても、第１実施形態のアダプタ１と同様に、第１接点４５及び第２接点５０のそれぞれにおいて付勢力量が最適化され、アダプタと内視鏡との電気的接続を確実に行うことができる。
また、第１接点部４２と第２接点部４３とが共通の本体６１を用いて一体に形成されているので、第１接点部４２と第２接点部４３とが離間することがなく、確実に電気的接続を取ることができる。
【００５０】
以上、本発明の各実施形態を説明したが、本発明の技術範囲は上記実施形態に限定されるものではなく、本発明の趣旨を逸脱しない範囲において、各実施形態の構成要素の組み合わせを変えたり、各構成要素に種々の変更を加えたり、削除したりすることが可能である。
【００５１】
例えば、電気的接続部の第１接点部においては、図９（ａ）及び図９（ｂ）に示す変形例のように、第１接点４５ａの基端部４５Ａと先端部４５Ｂとの境界部に、本体４４の端部４４Ａと同一（略同一を含む）のテーパー角を有するテーパー部４５Ｃが形成されてもよい。
このようにすると、開口４７から本体４４の内部に液体が浸入した場合も、図９（ａ）に矢印で示すように、コイルバネ４６が軸線方向に延びる動作に伴って、テーパー部４５Ｃが当該液体を好適に本体４４の外に排出する。したがって、液体が本体４４の内部に残留することによる本体４４やコイルバネ４６の腐食等を好適に防止することができる。
また、第１接点４５ａに外力が作用しないアダプタの非装着時等においては、図９（ｂ）に示すように、テーパー部４５Ｃが端部４４Ａに密着する。したがって、異物が本体４４の内部に入ることを好適に防止することができる。
【００５２】
また、上述の各実施形態においては、第１弾性部材及び第２弾性部材がコイルバネである例を説明したが、これに代えて導電性を有するゴム等の他の弾性部材が用いられてもよい。
【００５３】
また、上述の各実施形態においては、側視型のアダプタの例を説明したが、これに代えて直視型のアダプタであってもよい。
また、光学系を備えず、ＬＥＤユニット等の電子部品のみを備え、内視鏡の視野を調整せずに照明のみを行うようなアダプタであってもよい。さらに、電子部品も上述したＬＥＤユニットに限らず、挿入部に装着されたアダプタの種類を電気的に識別する抵抗体や、アダプタ内の温度を検出するサーミスタなどであってもよい。
【００５４】
なお、本発明のアダプタにおける電気的接続部の構造は、アダプタでなく、アダプタが装着される側の内視鏡に設けられてもよい。
図１０は、電気的接続部４０が設けられた内視鏡１２０を示している。電気的接続部４０は、挿入部１０１の先端部に取り付けられて本体部１０４（不図示）に接続されており、第１接点４５が先端に露出されている。内視鏡１２０に装着されるアダプタ７０において、電気的接続部４０が配置されていた部位には、棒状の導電体７１が配置され、可撓性基板３２と電気的に接続されている。
上記のように構成された内視鏡１２０においては、相手側のアダプタ７０における可動部の箇所が少なくなるので、より容易に水密性の高い構造を実現することができる。
【符号の説明】
【００５５】
１  内視鏡用アダプタ
３１  ＬＥＤユニット（電子部品）
４０、４０ａ  電気的接続部
４１  筒部
４２  第１接点部
４３  第２接点部
４４  本体
４４Ａ  端部
４４Ｂ  端部
４５、４５ａ  第１接点
４５Ａ  基端部
４５Ｂ  先端部
４５Ｃ  テーパー部
４６  コイルバネ（第１弾性部材）
４６Ａ  第一の端部
４６Ｂ  第二の端部
４７  開口
４８  壁面（第１壁部）
４９Ｂ  端部
５０  第２接点
５１  コイルバネ（第２弾性部材）
５１Ａ  第一の端部
５１Ｂ  第二の端部
５２  壁面（第２壁部）
１００  内視鏡
１０１  挿入部
１０４  本体部
１０９  観察光学系
１２０  内視鏡
【図１】
2011170094.tif 000003
【図２】
2011170094.tif 000004
【図３】
2011170094.tif 000005
【図４】
2011170094.tif 000006
【図５】
2011170094.tif 000007
【図６】
2011170094.tif 000008
【図７】
2011170094.tif 000009
【図８】
2011170094.tif 000010
【図９】
2011170094.tif 000011
【図１０】
2011170094.tif 000012